(57)【要約】      （修正有）【課題】携帯電話を利用したきわめて簡単な入退室管理装置及び、小型計量でどこにでも設置できるシステムを提供する。【解決手段】読み取り対象画像を表示した紙片１２を、所定の位置に所定の姿勢で位置決めする紙片位置決め部１６と、携帯電話１８のカメラレンズを紙片１２の読み取り対象画像１４に対向させ、当該読み取り対象画像１４に焦点を合わせて撮影可能な状態で携帯電話１８を支持固定する電話機支持部２２とを備える。紙片１２には、２次元バーコード等のが印刷されて表示されている。その状態で携帯電話１８のカメラで画像を撮影し、ＩＤコード等を取得する。簡単な操作でワンタッチで入退室管理等ができる。【選択図】図１
0003129571.tif 000002
【実用新案登録請求の範囲】
【請求項１】
読み取り対象画像を表示した紙片を、所定の位置に所定の姿勢で位置決めする紙片位置決め部と、携帯電話のカメラレンズを前記紙片の読み取り対象画像に対向させ、当該読み取り対象画像に焦点を合わせて撮影可能な状態で携帯電話を支持固定する電話機支持部とを有する携帯電話支持装置。
【請求項２】
請求項１に記載の携帯電話支持装置において、
紙片位置決め部は前記カメラレンズの視野の中央で、前記カメラレンズに正対するように配置されていることを特徴とする携帯電話支持装置。
【請求項３】
請求項１に記載の携帯電話支持装置において、
紙片位置決め部は前記カメラレンズの視野の中央で、前記カメラレンズに正対し、かつ、前記カメラレンズのフォーカス距離に配置されていることを特徴とする携帯電話支持装置。
【請求項４】
請求項１乃至３のいずれかに記載の携帯電話支持装置において、
電話機支持部には、携帯電話を継続的にスタンバイ状態に保持する外部電源と、携帯電話の電源接続端子に接続される接触子が設けられていることを特徴とする携帯電話支持装置。
【請求項５】
請求項１乃至４のいずれかに記載の携帯電話支持装置において、
電話機支持部は、携帯電話の処理開始スイッチを露出させるように支持壁が構成され、かつ、前記処理開始スイッチの位置を表示する表示部が設けられていることを特徴とする携帯電話支持装置。
【請求項６】
請求項１乃至４のいずれかに記載の携帯電話支持装置において、
電話機支持部は、携帯電話の処理開始スイッチ以外のスイッチをマスクする支持壁が設けられていることを特徴とする携帯電話支持装置。
【請求項７】
請求項１乃至６のいずれかに記載の携帯電話支持装置において、
電話機支持部は、携帯電話を一体化固定する固定手段を備え、紙片位置決め部は紙片を所定位置に一時固定することを特徴とする携帯電話支持装置。
【請求項８】
請求項７に記載の携帯電話支持装置において、
電話機支持部は、携帯電話の全てのスイッチをマスクする支持壁を備えたことを特徴とする携帯電話支持装置。
【考案の詳細な説明】
【技術分野】
【０００１】
本考案は、携帯電話のカメラを用いて対象画像を読み取り、その結果を利用するために使用される携帯電話支持装置に関する。
【背景技術】
【０００２】
例えば、既知の訪問先、訪問日時を管理する訪問業務管理システムでは、次のような技術が紹介されている。即ち、訪問先に設置する訪問先ごとに異なる訪問先情報を記録した記録媒体を設ける。さらに、携帯電話 に接続可能な記録媒体読み取り装置、メールが可能な携帯電話 、メール通信環境、メールが可能な情報端末を設ける。携帯電話に接続可能な記録媒体読み取り装置で読み取った訪問先情報を携帯電話からメールで送信し、情報端末でそのメールを受信し、受信メールから訪問者と訪問先情報とメール時刻と訪問日時とを取り出し、それらのデータを蓄積し、訪問者と訪問先情報と訪問日時とを表示する（特許文献１参照）。
【特許文献１】特開２００６−３０９６７５号公報
【考案の開示】
【考案が解決しようとする課題】
【０００３】
ここで、既知の従来の技術には、次のような解決すべき課題があった。
訪問先、訪問日時を管理するシステムは、入退室管理等にも応用できる。ＩＤカードを使用した入退室管理システムは、カード読み取り装置や読み取ったデータの記録装置あるいは読み取りデータを転送するネットワーク接続装置等が必要になり、設備費が高額になる。また、上記の特許文献に記載されたように、携帯電話の二次元バーコード読み取り機能を利用すると、システムを簡略化できるが、操作性が悪い。また、利用者全員が携帯電話を所持しなけれはならない。
上記の課題を解決するために、本考案は次のような携帯電話支持装置等を提供することを目的とする。
携帯電話を利用したきわめて簡単な入退室管理装置を実現する。小型計量でどこにでも設置できるシステムを実現する。
【課題を解決するための手段】
【０００４】
以下の構成は上記の課題を解決するための手段である。
〈構成１〉
読み取り対象画像を表示した紙片を、所定の位置に所定の姿勢で位置決めする紙片位置決め部と、携帯電話のカメラレンズを上記紙片の読み取り対象画像に対向させ、当該読み取り対象画像に焦点を合わせて撮影可能な状態で携帯電話を支持固定する電話機支持部とを有する携帯電話支持装置。
【０００５】
携帯電話を電話機支持部に支持固定しておき、紙片位置決め部に、例えば、ＩＤカードのような紙片を乗せる。紙片には、２次元バーコードのような読み取り対象画像が印刷されて表示されている。その状態で携帯電話のカメラで読み取り対象画像を撮影し、ＩＤコード等を取得する。簡単な操作でワンタッチで入退室管理等ができる。
【０００６】
〈構成２〉
構成１に記載の携帯電話支持装置において、紙片位置決め部は上記カメラレンズの視野の中央で、上記カメラレンズに正対するように配置されていることを特徴とする携帯電話支持装置。
【０００７】
携帯電話を電話機支持部に固定した状態で、紙片を紙片位置決め部に置くだけで、直ちに最適の状態ができる。従って、撮影用のスイッチを押すだけで、操作が完了する。
【０００８】
〈構成３〉
構成１に記載の携帯電話支持装置において、紙片位置決め部は上記カメラレンズの視野の中央で、上記カメラレンズに正対し、かつ、上記カメラレンズのフォーカス距離に配置されていることを特徴とする携帯電話支持装置。
【０００９】
紙片位置決め部がカメラレンズのフォーカス距離に配置されていると、撮影用のスイッチを押せば直ちに焦点が合う。何の調整も要らない。これにより、例えば、二次元バーコード等を誤り無く認識できる。
【００１０】
〈構成４〉
構成１乃至３のいずれかに記載の携帯電話支持装置において、電話機支持部には、携帯電話を継続的にスタンバイ状態に保持する外部電源と、携帯電話の電源接続端子に接続される接触子が設けられていることを特徴とする携帯電話支持装置。
【００１１】
携帯電話を電話機支持部に固定しておくと、外部電源があるので、携帯電話をスタンバイ状態で長時間放置できる。読み取り対象画像を撮影して直ちに認識処理できる状態にしておくと、操作時の処理待ち時間を最小にできる。
【００１２】
〈構成５〉
構成１乃至４のいずれかに記載の携帯電話支持装置において、電話機支持部は、携帯電話の処理開始スイッチを露出させるように支持壁が構成され、かつ、上記処理開始スイッチの位置を表示する表示部が設けられていることを特徴とする携帯電話支持装置。
【００１３】
携帯電話には、様々なボタンが設けられている。従って、その特定のスイッチのみを操作させるように、処理開始スイッチの位置を表示する表示部を設ける。表示部は例えば、矢印を印刷したラベル等により構成する。
【００１４】
〈構成６〉
構成１乃至４のいずれかに記載の携帯電話支持装置において、電話機支持部は、携帯電話の処理開始スイッチ以外のスイッチをマスクする支持壁が設けられていることを特徴とする携帯電話支持装置。
【００１５】
誤操作を防止するために、携帯電話の処理開始スイッチ以外のスイッチをマスクする支持壁を設けることが好ましい。
【００１６】
〈構成７〉
構成１乃至６のいずれかに記載の携帯電話支持装置において、電話機支持部は、携帯電話を一体化固定する固定手段を備え、紙片位置決め部は紙片を所定位置に一時固定することを特徴とする携帯電話支持装置。
【００１７】
電話機支持部に携帯電話を一体化固定すれば、スイッチを操作しても携帯電話の位置変動が無く、安定に使用を継続できる。紙片位置決め部は紙片を所定位置に一時固定すればよい。
【００１８】
〈構成８〉
構成７に記載の携帯電話支持装置において、電話機支持部は、携帯電話の全てのスイッチをマスクする支持壁を備えたことを特徴とする携帯電話支持装置。
【００１９】
紙片を紙片位置決め部に置くだけで携帯電話が自動的に処理を開始することができるときは、誤動作を防止するために、携帯電話の全てのスイッチをマスクする支持壁を設けることが好ましい。
【考案を実施するための最良の形態】
【００２０】
以下、本考案の実施の形態を実施例毎に詳細に説明する。
【実施例１】
【００２１】
図１は実施例１の携帯電話支持装置を示す斜視図である。
図の携帯電話支持装置１０は、基板１１の両端部に紙片位置決め部１６と電話機支持部２２とを備えている。この装置は、例えば、プラスチックモールド成型等により製造する。紙片位置決め部１６は、読み取り対象画像１４を表示した紙片１２を、所定の位置に所定の姿勢で位置決めする構造を備える。具体的には、紙片１２を挿入するスリット４６を周辺に設けた凹陥部１５を備える。
【００２２】
紙片１２には、読み取り対象画像１４が印刷されて表示されている。読み取り対象画像１４は、例えば、二次元バーコードである。また、３次元バーコードや一次元バーコード等でも構わない。携帯電話で撮影をして解析処理をすることにより所定のコードデータが得られるものであればよい。電話機支持部２２は、携帯電話１８のカメラレンズを紙片１２の読み取り対象画像１４に対向させ、その読み取り対象画像１４に焦点を合わせて撮影可能な状態で携帯電話１８を支持固定する構造を備える。
【００２３】
図２は、携帯電話支持装置１０の縦断面図である。
図のように、電話機支持部２２は、支持壁２４を備え、凹部４５に携帯電話１８の電源接続端子２８側を収容している。電話機支持部２２の内部には、外部電源２６が設けられている。これは、図１に示した電源コード４０と電源プラグ４１を介して商用電源に接続される。そして、携帯電話１８の駆動用電力を出力する。携帯電話１８の電源接続端子２８は、外部電源２６から引き出された接触子３０に接触して、電力の供給を受ける。即ち、電話機支持部２２は、既知の充電用クレードルの役割を果たす。一方、紙片１２は、紙片位置決め部１６のスリット４６に挿入されて位置決めされている。
【００２４】
以上の携帯電話支持装置１０は、携帯電話１８を電話機支持部２２に支持固定した状態で使用する。この装置はどこに置いても構わない。商用電源のコンセントさえあれば、どんな場所にも簡単に設置できる。携帯電話の電池が十分に長持ちするときは、外部電源は不要である。従って、さらに自由な場所に設置できる。そして、入退室管理に使用するときは、利用者が、例えば、ＩＤカードのような紙片１２を、紙片位置決め部１６に乗せる。その状態で携帯電話１８の側面のスイッチ３１（図１）を押す。
【００２５】
上記の外部電源を用いると、電話機支持部２２に携帯電話１８を固定して、長時間継続的にスタンバイ状態に保持しておくことができる。サーバへの登録処理用アプリケーションを立ち上げて、読み取り対象画像を撮影したら直ちに認識処理ができるような状態にしておくと、処理待ち時間を最小にできる。
【００２６】
図３は、入退室管理ネットワークの概略図である。
携帯電話１８のカメラは、読み取り対象画像１４を撮影しＩＤコード等を取得する。携帯電話１８のディスプレイ３２には、取得した情報が画面３３に表示される。午前８時５６分に山田一郎さんのＩＤカードが読み取られたことが表示されている。ＯＫボタン３５をクリックすると、その情報が発信され、基地局５０を経由して、サーバ６０に転送される。サーバ６０のデータベースには、受信データ６２を管理データ６３に変換したものが記憶される。即ち、携帯電話支持装置１０の配置された部屋に、山田一郎さんが午前８時５６分に入室したという記録がされる。
【００２７】
携帯電話１８のアプリケーションにより、これらの通信を全て自動化できる。例えば、ＯＫボタン３５のクリックも省略できる。サーバ側の受信データ６２は、撮影認識データと電話番号である。データ受信時にその時刻データが自動的にサーバ側で取得される。これらを上記の管理データ６３に変換する処理は既知の任意のアプリケーションにより実現できる。従って、ＩＤカード紙片位置決め部１６に乗せてスイッチを１度か２度操作するだけで、自動的にデータの登録ができる。即ち、簡単な操作でワンタッチで入退室管理等ができる。従来一般に、携帯電話で二次元バーコードを読み取るときは、その撮影に比較的手間取る。この携帯電話支持装置１０はその作業が全く不要になる。しかも、これだけの設備で、従来のタイムカード装置等に相当する機能を持つ。
【００２８】
携帯電話のアプリケーションは、例えば、ワンクリックで、２次元バーコードに対する自動フォーカスと、撮影と、２次元バーコードの解析と、送信データの生成と、サーバへ登録とを自動的に完了させる。利用者は、ＩＤカードの撮影が終わればすぐに紙片位置決め部１６からＩＤカードを取り上げて立ち去ることができる。撮影対象となる画像は、一次元、二次元、三次元バーコード、指紋等様々なものにすることができる。
【実施例２】
【００２９】
図４は、携帯電話支持装置の縦断面から見た携帯電話等の側面図である。
図のように、携帯電話１８は電話機支持部２２に固定されている。ここで、紙片位置決め部１６は、携帯電話１８のカメラレンズ２０の視野の中央で、カメラレンズ２０に正対するように配置されている。また、カメラレンズ２０のフォーカス距離に配置されている。従って、紙片１２を紙片位置決め部１６に置くだけで、撮影に最適の状態になる。このまま撮影用のスイッチを押すだけで、操作が完了する。
【００３０】
紙片位置決め部１６がカメラレンズ２０のフォーカス距離外に配置されていると、読み取り対象画像１４を鮮明に撮影できない。従って、読み取り誤りを生じさせる。即ち、電話機支持部２２と紙片位置決め部１６との間の距離は長すぎても短すぎてもいけない。最適距離に設定しておくと、撮影用のスイッチを押せば直ちに焦点が合う。何の調整も要らない。従って、例えば、二次元バーコード等を誤り無く認識できる。
【実施例３】
【００３１】
図５は実施例３の携帯電話支持装置を示す主要部斜視図である。
電話機支持部２２は、携帯電話１８の処理開始スイッチを露出させるように支持壁２４を構成することが好ましい。図１の実施例では、支持壁２４が携帯電話１８の側面を露出させて、スイッチ３１の操作を可能にしている。また、携帯電話には多数のスイッチが設けられている。入退室管理のために操作するスイッチは１個または２個程度であり、その他のスイッチを操作すると誤動作する。また、利用者が迷わずに該当するスイッチのみを操作することが好ましい。
【００３２】
そこで、図５のように、電話機支持部２２は、携帯電話１８の処理開始スイッチ以外のスイッチを覆うマスク５１を設ける。このマスク５１は支持壁２４上に固定した。マスク５１の構造は例えば、図の一点鎖線の円内に示したように、携帯電話の操作面全面を覆うようなものが好ましい。プラスチック成型品で製造できる。また、例えば、図の矢印のように、処理開始スイッチの位置を表示するための表示部５２が設けられていることが好ましい。矢印以外に、分かりやすく色分け表示をしたり、例えば、ＬＥＤを点灯させておいてもよい。だれでも迷わず携帯電話の該当するスイッチを操作できる。
【００３３】
また、電話機支持部２２は、携帯電話１８を一体化固定する固定手段を備えるとよい。図５の例では、マスク５１がそれに該当する。マスク５１が電話機支持部２２で携帯電話１８を弾力的に挟み付けているので、スイッチを操作しても携帯電話の位置変動が無く、安定に使用を継続できる。一方、紙片位置決め部は紙片を所定位置に一時固定する機能があればよい。ＩＤカード等の紙片は利用者が持ち歩き、入退室のときだけ、紙片位置決め部に置くからである。以上の装置により、携帯電話１８を利用したきわめて簡単な入退室管理装置が実現する。
【００３４】
また、携帯電話のカメラを撮影状態に保持しておき、フォーカス可能な位置にＩＤカード等の紙片を配置すると、その時点で自動的にフォーカスが起動し、ＩＤコード等の認識ができる。この認識ができたら、自動的にサーバへの登録処理を実行する。こうすれば、携帯電話を全く操作することなく、何人でも、ＩＤカード等の差し込みだけで、次々に入退室登録処理が完了する。このようなシステムでは、携帯電話の全ての操作ボタンを支持壁で完全にマスクして、電話機支持部に固定するとよい。図５に示した支持壁５１が、切り欠きや窓無しに、携帯電話１８の全周を包囲していればよい。以上のような携帯電話支持装置は、小型軽量でどこにでも設置できるという効果がある。また、携帯電話は固有の電話番号を有するから、設置場所と携帯電話とを対応付けて、複数の場所で複数の携帯電話を利用して、様々な管理ができる。これは、入退室管理に限らず、利用者が持参した紙片の画像から携帯電話を用いて情報を読み取って処理するシステムに広く利用できる。
【図面の簡単な説明】
【００３５】
【図１】実施例１の携帯電話支持装置を示す斜視図である。
【図２】携帯電話支持装置１０の縦断面図である。
【図３】入退室管理ネットワークの概略図である。
【図４】携帯電話支持装置の縦断面から見た携帯電話等の側面図である。
【図５】実施例３の携帯電話支持装置を示す主要部斜視図である。
【符号の説明】
【００３６】
１０  携帯電話支持装置
１２  紙片
１４  読み取り対象画像
１６  紙片位置決め部
１８  携帯電話
２０  カメラレンズ
２２  電話機支持部
２４  支持壁
２６  外部電源
２８  電源接続端子
３０  接触子
【図１】
0003129571.tif 000003
【図２】
0003129571.tif 000004
【図３】
0003129571.tif 000005
【図４】
0003129571.tif 000006
【図５】
0003129571.tif 000007